(57)【要約】【課題】光軸と光路装置の中心軸が平行でない時でも光路に効果的に入射でき、光路を経由して出射された光を均一化して出射できる光路構造を提供する。【解決手段】本発明の光路構造２００は、互いに重なって形成され、光路２０５としての中空パイプを形成する複数の反射板２０１〜２０４を含んでいる。この反射板２０１〜２０４は、少なくともその中の一つの反射板２０４の端面とその他の反射板２０１〜２０３の端面が、同一平面上に位置しないように構成されている。【選択図】図２
2006309196.tif 000002
【特許請求の範囲】
【請求項１】
互いに重なって形成され、中空パイプを形成する複数の反射板を含み、前記複数の反射板は、少なくともその中の一つの反射板の端面とその他の反射板の端面が同一平面上に位置しない光路構造。
【請求項２】
複数の反射板を含み、且つ、前記反射板は互いに重なって形成され、光線をその中に通過させる中空パイプを形成し、且つ、前記反射板は全て同じ長さでない光路構造。
【請求項３】
前記反射板の内表面は、薄膜でコーティングされる請求項１または２に記載の光路構造。
【請求項４】
前記反射板の形状は、台形，長方形，または多角形である請求項１または２に記載の光路構造。
【請求項５】
前記反射板の材料は、ガラスである請求項１または２に記載の光路構造。
【請求項６】
一部の前記反射板の長さは、同じである請求項１または２に記載の光路構造。
【請求項７】
前記反射板のもう一つ側の端面は、全て同一平面上に位置される請求項１または２に記載の光路構造。
【請求項８】
前記反射板の外表面に嵌る少なくとも一つのスリーブを更に含む請求項１または２に記載の光路構造。
【請求項９】
前記反射板の中で、少なくとも一つの反射板の端面は、その他の反射板の端面で構成された平面の外側に突出する請求項１または２に記載の光路構造。
【発明の詳細な説明】
【技術分野】
【０００１】
本発明は、光路構造に関し、特に、光源の光軸と光路構造の中心軸が平行でない投影器に用いるシステムの光路構造に関するものである。
【背景技術】
【０００２】
一般の投影システムでは、通常、入射した光線を均一に分散した後、出射する集光システムが必要であり、現在、ほとんどが光路（ｌｉｇｈｔ ｔｕｎｎｅｌ）構造を用いている。
【０００３】
一般に従来の光路構造は、例えば特許文献１に示されるように、４つのガラス板の内壁表面に光学薄膜が塗布され、これらのガラス板が互いに重なってその表面内に光路を形成し、光線をその光路に入射させて、前記光学薄膜により反射させている。図１を参照すると、これは従来の光路構造１００の概略図であり、４枚の長さが等しいガラス板１０１から構成されている。これらのガラス板１０１は、側面に沿って連結し、互いに重なって光路１０２を形成し、これらのガラス板１０１の両端面は、同一平面上に位置されている。
【０００４】
従来の光路の欠点は、光源（図示せず）の光軸が光路構造１００の中心軸と平行でなければならないことであり、光源の光軸と光路構造１００の中心軸が平行でない光路では、一部の光線だけが光路構造１００に入射して反射されることから、光路構造１００から出射する光線の光度が不足し、実際の使用において効果がよくない。
【０００５】
また、光源の光軸が光路構造１００の中心軸と平行でなければ、光線が光路構造１００に入射し、均一化されて出射することができない。よって、光軸と光路構造１００の中心軸の位置合わせは、非常に正確でなければ、光損失を防ぐことができない。
【特許文献１】特開２００３−５７５１４号公報
【発明の開示】
【発明が解決しようとする課題】
【０００６】
よって、上述の問題を解決するために、本発明は、特殊な光路で用いることができる光路構造を提供する。すなわち、光源の光軸と光路の中心軸が平行でない時でも光路に効果的に入射でき、光路を経由して射出された光を効果的に受け入れて、均一化して出射できる光路構造を提供し、光軸と光路の中心軸が平行でないために実際の使用において効果がよくない問題を解決することを、その目的とする。
【課題を解決するための手段】
【０００７】
本発明の光路構造は、複数の反射板から構成され、これらの反射板は互いに重なり、中空パイプを形成する。前記中空パイプは光路となり、前記反射板の内表面は、それぞれ薄膜でコーティングされ、光線を入射させて反射させる。
【０００８】
本発明は、複数の例えば４枚の反射板を用い、その中の一乃至複数の反射板は、その他の反射板から突出し、投影機における光軸と光路装置の中心軸が平行でない時でも、光線がその他の反射板から突出した反射板によって光路の中に入射して反射でき、光路を経由して出射された光を均一化することができる。
【０００９】
また、前記反射板の形状は、台形，長方形，正多角形または不正多角形とすることができ、且つ、前記反射板の材料は、例えばガラスからなる。
【発明の効果】
【００１０】
本発明の提供する光路構造は、光軸と光路装置の中心軸が平行の投影システムに用いることができるだけでなく、投影機の光軸と光路装置の中心軸が平行でない投影システムに用いることもできる多性能の光路構造となる。
【００１１】
また、本発明の提供する光路構造は、光軸と光路装置の中心軸とを正確に位置合わせをする必要がなく、入射と出射の光線を一定に確保することができる。
【発明を実施するための最良の形態】
【００１２】
本発明についての目的，特徴，長所が一層明確に理解されるよう、以下に実施形態を例示し、図面を参照にしながら、詳細に説明する。
【実施例】
【００１３】
図２は、本発明の実施例１における光路構造の概略図を表している。光路構造２００は、第１反射板２０１と、第２反射板２０２と、第３反射板２０３と、第４反射板２０４と、により構成される。これらの反射板２０１〜２０４の材料は、ガラス板とすることができ、これらの反射板２０１〜２０４の内表面は、反射薄膜でコーティングされる。これらの反射板２０１〜２０４の形状は、台形，長方形，または多角形とすることができる。
【００１４】
本実施例において、第４反射板２０４は、同じ長さである第１反射板２０１，第２反射板２０２，および第３反射板２０３よりも長く形成される。これらの反射板２０１〜２０４は、側面に沿って連結し、互いに重なって形成され、それにより中空パイプを形成し、この中空パイプは、光線（図示せず）をその中に入射させ、反射させることができる光路２０５となる。また、光路構造２００の一端側において、第１反射板２０１，第２反射板２０２および第３反射板２０３の一端面は、同一平面上に位置され、光路構造２００の同じ側における第４反射板２０４の端面は、その他の反射板２０１〜２０３の端面で構成された平面の外側に突出する。また、光路構造２００の他端側において、これらの反射板２０１〜２０４のもう一つ側の端面は、全て同一平面上に位置される。これによって、これらの反射板２０１〜２０４の位置合せを容易にすることができる。
【００１５】
図３は、本発明の実施例２における光路構造を表している。本実施例では、実施例１と同じ、または相当する素子に対して、同じ符号を用いている。本実施例と実施例１の異なる所は、本実施例では、第１反射板２０１’と第４反射板２０４の長さは等しく、且つ、これらの反射板２０１’，２０４は、他の同じ長さである第２反射板２０２と第３反射板２０３よりも長く形成される。光路構造２００の一端側において、第２反射板２０２と第３反射板２０３の一端面は、同一平面上に位置される。光路構造２００の同じ側における第１反射板２０１’と第４反射板２０４の端面は、第２反射板２０２と第３反射板２０３の端面で構成された平面の外側に突出し、同一平面上に位置される。また、光路構造２００の他端側において、これらの反射板２０１’〜２０４のもう一つ側の端面は、同一平面上に位置される。これによって、これらの反射板２０１’〜２０４の位置を決定することができる。
【００１６】
図４は、本発明の実施例３における光路構造を表している。本実施例では、実施例１と同じ、または相当する素子に対して、同じ符号を用いている。本実施例と実施例１の異なる所は、本実施例では、第１反射板２０１’’と第４反射板２０４の長さは同じではなく、且つ、これらの反射板２０１’’，２０４は、他の同じ長さである第２反射板２０２と第３反射板２０３よりも長く形成される。光路構造２００の一端側において、第２反射板２０２と第３反射板２０３の一端面は、同一平面上に位置される。光路構造２００の同じ側における第１反射板２０１’’と第４反射板２０４の端面は、第２反射板２０２と第３反射板２０３の端面で構成された平面の外側に突出し、異なる平面上に位置される。また、光路構造２００の他端側において、これらの反射板２０１’’〜２０４のもう一つ側の端面は、同一平面上に位置される。これによって、これらの反射板２０１’’〜２０４の位置を決定することができる。
【００１７】
図５は、本発明の実施例４における光路構造を表している。本実施例では、実施例１と同じ、または相当する素子に対して、同じ符号を用いている。本実施例と実施例１の異なる所は、本実施例では、光路構造２００の一端側において、第１反射板２０１’’と、第２反射板２０２と、第３反射板２０３’と、第４反射板２０４の長さが全て異なる。第１反射板２０１’’と、第２反射板２０２と、第３反射板２０３と、第４反射板２０４の一端面は、各々異なる平面上に位置され、光路構造２００の他端側において、これらの反射板２０１’’〜２０４のもう一つ側の端面は、全て同一平面上に位置される。これによって、これらの反射板２０１’’〜２０４の位置を決定することができる。
【００１８】
図６は、本発明の実施例５における光路構造を表している。本実施例では、実施例１と同じ、または相当する素子に対して、同じ符号を用いている。本実施例と実施例１の異なる所は、本実施例では、光路構造２００の一端側において、第４反射板２０４’の端面は、その他の同じ長さである反射板２０１〜２０３の端面で構成された平面よりも短く、この平面の内側に位置する。また、光路構造２００の他端側において、これらの反射板２０１〜２０４’のもう一つ側の端面は、全て同一平面上に位置される。また、これらの反射板２０１〜２０４’の外表面に嵌まる少なくとも一つのスリーブ６０６を有する。よって、これらの反射板２０１〜２０４’の位置付けを容易に完成することができる。
【００１９】
本発明は、複数の反射板からなる光路装置２００において、少なくともその中の一つの反射板の端面とその他の反射板の端面が同一平面上に位置しないように構成されている。また、本発明の反射板は、全て同じ長さとならないように構成されている。すなわち、複数の例えば４枚の反射板を用い、その中の一乃至複数の反射板がその他の反射板の外側に突出し、またはその他の反射板よりも短く内側に位置することで、投影機における光源の光軸と光路装置２００の中心軸が平行でない時でも、突出した反射板によって光路の中に入射して反射でき、光路を経由して出射された光線を均一化することができる。そのため、光軸と光路の中心軸が平行の投影システムに用いることができるだけでなく、投影機の光軸と光路の中心軸が平行でない投影システムに用いることもできる多性能の光路構造２００を得ることができる。また、本発明の提供する光路構造２００は、光軸と光路の中心軸とを正確に位置合わせをする必要がなく、入射と出射の光線を一定に確保することができる。
【００２０】
以上、本発明の好適な実施例を例示したが、これは本発明を限定するものではなく、本発明の精神及び範囲を逸脱しない限りにおいては、当業者であれば行い得る少々の変更や同様の装置を付加することは可能である。従って、本発明が保護を請求する範囲は、特許請求の範囲を基準とする。
【図面の簡単な説明】
【００２１】
【図１】従来の光路構造の概略図を表している。
【図２】本発明の実施例１における光路構造の概略図を表している。
【図３】本発明の実施例２における光路構造の概略図を表している。
【図４】本発明の実施例３における光路構造の概略図を表している。
【図５】本発明の実施例４における光路構造の概略図を表している。
【図６】本発明の実施例５における光路構造の概略図を表している。
【符号の説明】
【００２２】
２００  光路構造
２０１，２０１’，２０１’’  第１反射板（反射板）
２０２  第２反射板（反射板）
２０３，２０３’  第３反射板（反射板）
２０４，２０４’  第４反射板（反射板）
２０５  光路（中空パイプ）
６０６  スリーブ
【図１】
2006309196.tif 000003
【図２】
2006309196.tif 000004
【図３】
2006309196.tif 000005
【図４】
2006309196.tif 000006
【図５】
2006309196.tif 000007
【図６】
2006309196.tif 000008